(57)【要約】  【課題】  優れた宣伝効果を発揮し、取り扱いが容易な広告装置を提供する。  【解決手段】  ゴミ箱２の壁面２ａに着脱自在に取付けることができ、内部に広告用のポスター３を取り出し自在に挿入することのできる広告装置１であり、装置本体１０と固着部材２０とで構成する。装置本体１０は、少なくともポスター３を前後から挟持する前壁１１と後壁１２とを備えた正面矩形状とし、上下両端を封止すると共に、少なくとも左右のいずれか一端側にポスター３を挿入および取り出すための開口部１３を設け、少なくとも前壁１１を透明とした。固着部材２０は、装置本体１０の背面の少なくとも周縁部に設けられ、ゴミ箱２の壁面２ａに離脱自在に固着する。【選択図】      図２
0003176952.tif 000002
【実用新案登録請求の範囲】
【請求項１】
ゴミ箱（２）の壁面（２ａ）に着脱自在に取付けることができ，内部に広告用のポスター（３）を取り出し自在に挿入することのできる広告装置であって、少なくとも前記ポスターを前後から挟持する前壁（１１）と後壁とを備えた正面矩形状であり，上下両端が封止されると共に，少なくとも左右のいずれか一端側に前記ポスターを挿入および取り出すための開口部（１３）を備え，少なくとも前記前壁が透明である装置本体（１０）と、前記装置本体の背面の少なくとも周縁部に設けられ，前記ゴミ箱の壁面に離脱自在に固着する固着部材（２０）と、を備えることを特徴とする広告装置。
【請求項２】
ゴミ箱（２）の壁面（２ａ）に着脱自在に取付けることができ，内部に広告用のポスター（３）を取り出し自在に挿入することのできる広告装置であって、少なくとも前記ポスターを前後から挟持する前壁（１１）と後壁（１２）とを備えた正面矩形状であり，上下両端が封止されると共に，少なくとも左右のいずれか一端側に前記ポスターを挿入および取り出すための開口部（１３）を備え，少なくとも前記前壁が透明である装置本体（１０）と、前記装置本体の背面の少なくとも周縁部に設けられ，前記ゴミ箱の壁面に離脱自在に固着する固着部材（２０）と、を備え、前記装置本体が肉薄で可撓性のある樹脂材で形成されると共に，前記固着部材が両面接着テープで構成されることを特徴とする広告装置。
【考案の詳細な説明】
【技術分野】
【０００１】
本考案は、コンビニエンスストア（コンビニ）の入り口付近や自動販売機の近傍など、あらゆる公共の場所に設置されたゴミ箱に取付けられる広告装置に関するものである。
【背景技術】
【０００２】
例えば、コンビニの入り口付近には複数のゴミ箱が設置されており、当該コンビニを利用する客などが、この中に空き缶や紙類などのゴミを自由に投入して廃棄することができるようになっている。こうしたゴミ箱は、コンビニの入り口付近以外のあらゆる場所にも設置されている。
【０００３】
一方、こうしたゴミ箱の多くには、例えば、携帯電話会社やローン会社などの宣伝用のポスターが接着剤で貼り付けられており、このポスターによって相当の宣伝効果を発揮している（特許文献１参照）。本考案の考案者は、こうした宣伝効果をより効果的に発揮させるために、複数の広告用のチラシを収納でき、ゴミ箱に取付ける枠体製の構造物（広告塔）を創案して出願し、すでに登録を受けている（特許文献２参照）。
【先行技術文献】
【特許文献】
【０００４】
【特許文献１】実用新案登録第３０７７２２０号
【特許文献２】実用新案登録第３１０９１２１号
【考案の概要】
【考案が解決しようとする課題】
【０００５】
本考案の考案者は、すでに登録されたこれらの構造物と同様に優れた宣伝効果を発揮することができ、かつ、その取り扱いがさらに容易な広告装置の開発に取り組み、完成するに至った。
【０００６】
すなわち、特許文献１の構造物は、ポスターをゴミ箱の壁面に貼り付けるので、その貼付け作業および取り外し作業に所定の時間を要する。また、特許文献２の構造物は枠体製であるので構成が大掛かりとなる。従って、両者共に、優れた宣伝効果を発揮するものの、その取り扱いに改善の余地がある。
【０００７】
本考案はこうした問題に鑑み創案されたもので、優れた宣伝効果を維持しつつ、その取り扱いが容易な広告装置を提供することを課題とする。
【課題を解決するための手段】
【０００８】
図１乃至図５を参照して説明する。請求項１に記載の広告装置１は、ゴミ箱２の壁面２ａに着脱自在に取付けることができ、内部に広告用のポスター３を取り出し自在に挿入することのできるものであり、装置本体１０と固着部材２０とで構成される。
【０００９】
装置本体１０は、少なくとも前記ポスター３を前後から挟持する前壁１１と後壁１２とを備えた正面矩形状であり、上下両端が封止されると共に、少なくとも左右のいずれか一端側に前記ポスター３を挿入および取り出すための開口部１３を備え、少なくとも前記前壁１１が透明である。
【００１０】
固着部材２０は、前記装置本体１０の背面の少なくとも周縁部に設けられ、前記ゴミ箱２の壁面２ａに離脱自在に固着する。
【００１１】
請求項２に記載の広告装置１は、ゴミ箱２の壁面２ａに着脱自在に取付けることができ、内部に広告用のポスター３を取り出し自在に挿入することのできるものであり、装置本体１０と固着部材２０とで構成される。
【００１２】
装置本体１０は、少なくとも前記ポスター３を前後から挟持する前壁１１と後壁１２とを備えた正面矩形状であり、上下両端が封止されると共に、少なくとも左右のいずれか一端側に前記ポスター３を挿入および取り出すための開口部１３を備え、少なくとも前記前壁１１が透明である。
【００１３】
固着部材２０は、前記装置本体１０の背面の少なくとも周縁部に設けられ、前記ゴミ箱２の壁面２ａに離脱自在に固着する。
【００１４】
そして、前記装置本体１０が肉薄で可撓性のある樹脂材で形成され、前記固着部材２０が両面接着テープで構成される。
【考案の効果】
【００１５】
請求項１に記載の広告装置１は、少なくとも広告用のポスター３を前後から挟持する前壁１１と後壁１２とを備えた正面矩形状であり、上下両端が封止されると共に、少なくとも左右のいずれか一端側にポスター３を挿入および取り出すための開口部１３を備え、少なくとも前壁１１が透明である装置本体１０と、装置本体１０の背面の少なくとも周縁部に設けられ、ゴミ箱２の壁面２ａに離脱自在に固着する固着部材２０とで構成されるので、その取り扱いが容易である。
【００１６】
すなわち、装置本体１０は、その背面にゴミ箱２の壁面２ａに離脱自在に固着する固着部材２０を備えているので、ゴミ箱２に容易に取付けることができると共に、容易に取り外すことができる。
【００１７】
また、装置本体１０の少なくとも左右のいずれか一端側には開口部１３を備えているので、その開口部１３からポスター３を容易に挿入することができる。また、容易に取り出すこともできる。なお、ポスター３は、装置本体１０をゴミ箱２に固着した状態で挿入および取り出しすることができ、また、装置本体１０をゴミ箱２から離脱させた状態でも挿入および取り出しすることができる。
【００１８】
なお、前壁１１は透明であるので、当該前壁１１と後壁１２とで挟持されているポスター３は、前壁１１を通して容易に視覚することができる。従って、優れた宣伝効果を発揮することができる。
【００１９】
請求項２に記載の広告装置１は、請求項１に記載の考案と同様に、その取り扱いが容易であると共に、優れた宣伝効果を発揮する。
【００２０】
また、装置本体１０が肉薄で可撓性のある樹脂材で形成され、固着部材２０が両面接着テープで構成されるので、装置本体１０をゴミ箱２の壁面２ａに押し付けるのみで容易に取付けることができ、また、引き剥がすことによって容易に取り外すことができる。また、両面接着テープは軽量であるため、広告装置１の取り扱いがさらに容易となる。
【００２１】
また、装置本体１０が可撓性のある樹脂製であるので、肉厚の異なる複数種のポスター３を、前壁１１と後壁１２とで確実に挟持して確実に保持することができる。従って、ポスター３が不意の外力（例えば、風）によって装置本体１０から抜け出してしまうことがない。これにより、優れた宣伝効果を長期にわたって維持することができる。
【図面の簡単な説明】
【００２２】
【図１】本考案の実施形態に係る広告装置をゴミ箱に取付けた状態を示す正面図である。
【図２】図１のＸ−Ｘ線拡大断面図である。
【図３】図１の右側の広告装置を示す斜視図である。
【図４】図１の広告装置にポスターを挿入および取り出ししている状態を示す正面図である。
【図５】図１の広告装置を示す背面図である。
【考案を実施するための形態】
【００２３】
本考案に係る広告装置１の実施形態を、図１乃至図５に示す。これは、ゴミ箱２の壁面（前面）２ａに着脱自在に取付けることができ、内部に広告用のポスター３を取り出し自在に挿入することのできる広告装置１である。この広告装置１は、装置本体１０と固着部材２０とを備える。
【００２４】
なお、ゴミ箱２は、公の場に設置されているものを全て含むものであり、例えば、コンビニエンスストア（コンビニ）の入り口付近に備え付けられたものや、飲料等の自動販売機の近傍に備え付けられたものなどを含む。本実施形態では、コンビニの入り口付近に設置したもので、燃えるゴミを対象としたゴミ箱２、燃えないゴミを対象としたゴミ箱２、および空缶および空ビンを対象としたゴミ箱２を示しており、上端部にそれぞれの投入口２ｂを備えている（図１参照）。
【００２５】
なお、本実施形態における広告装置１は、ゴミ箱２の前面に取付けるものを示しているが、前面のみでなく、状況に応じて側面や背面にも自在に取付けることができる。
【００２６】
装置本体１０は、ポスター３を前後から挟持する前壁１１と後壁１２とを備えた正面矩形状である。従って、前壁１１と後壁１２との間隔は、ポスター３０の肉厚とほぼ等しく設定されている（図２参照）。装置本体１０の上下両端部はそれぞれ封止され、封止部１０ａとされている。また、左側端部も封止部１０ａとされている。右側端部にはポスター３を挿入したり取り出したりするための開口部１３が形成されている（図３参照）。前壁１１と後壁１２は透明である。なお、左側端部を、封止部１０ａに代えて開口部１３とすることができる。
【００２７】
なお、本実施形態では前壁１１と後壁１２の双方を透明としているが、前壁１１のみを透明とし、後壁１２を不透明（あるいは半透明）とすることもできる。また、本実施形態における前壁１１と後壁１２は、１ｍｍ程度の肉薄で可撓性のある樹脂材で形成されている。装置本体１０の大きさは、ゴミ箱２の壁面２ａよりやや小さく設定される。
【００２８】
固着部材２０は、装置本体１０の背面の少なくとも周縁部に設けられ、ゴミ箱２の壁面２ａに離脱自在に固着する（図５参照）。本実施形態の固着部材２０は、両面接着テープで構成している。なお、固着部材２０は、両面接着テープに限定されるものではなく、他の部材（例えば、いわゆるマジックファスナー（登録商標）など）で構成することもできる。
【００２９】
本実施形態における広告装置１は、例えば、次のようにして使用することができる。まず、装置本体１０の背面に固着部材（両面接着テープ）２０を貼り付ける。次に、この装置本体１０を、ゴミ箱２の壁面（前面）２ａに固着部材２０を介して固着する。この固着は、装置本体１０をゴミ箱２の壁面２ａに押し付けるのみで行うことができるので、その作業が極めて容易である。
【００３０】
この状態で、装置本体１０の右側端部に形成した開口部１３から、広告用のポスター３を左方向に向けて所定位置まで挿入し、その全体を前壁１１と後壁１２とで挟持する。このポスター３の挿入作業は、装置本体１０が肉薄で可撓性のある樹脂材で形成されているので、極めて容易に行うことができる。なお、こうした手順に代えて、ポスター３を装置本体１０に挿入した後、当該装置本体１０をゴミ箱２に固着することもできる。
【００３１】
装置本体１０に挿入されたポスター３は、前壁１１と後壁１２とによって挟持されるので、風などの影響によって抜け出すことがなく、よって長期間にわたって宣伝効果を効果的に発揮することができる。また、このポスター３は透明である前壁１１を透して視角されるので、優れた宣伝効果を発揮する。
【００３２】
また、ポスター３の取り替えは、装置本体１０に挿入されている古いポスター３を開口部１３から抜き出した後、その開口部１３から新しいポスター３を挿入することによって、容易に行うことができる（図４参照）。
【００３３】
ラミネート加工したような素材の紙質のポスター３は、直接ゴミ箱に貼ることができる。ラミネート加工されたような紙質は、丈夫で水や寒暖の差による温度変化にも強く、汚染しても簡単に清掃出来て厚みもあるので、ゴミ箱に直接両面テープ等で自由に脱着が出来る。
【符号の説明】
【００３４】
１      広告装置
２      ゴミ箱
２ａ    壁面
２ｂ    投入口
３      ポスター
１０    装置本体
１０ａ  封止部
１１    前壁
１２    後壁
１３    開口部
２０    固着部材
【図１】
0003176952.tif 000003
【図２】
0003176952.tif 000004
【図３】
0003176952.tif 000005
【図４】
0003176952.tif 000006
【図５】
0003176952.tif 000007